(57)【要約】【課題】  本発明は、衣服や首は勿論のこと顔や耳への毛染め液の付着を防止できると共に、毛染めの際に顔の前が開放されているため不快感を感じることのない毛染め用ケープ兼用キャップを提供しようとするものである。【解決手段】  課題解決のため、次の手段を採用する。  第１に、小さく折り畳み可能な薄手の合成樹脂シートで形成され、髪の毛及び衣服を覆う長さのスカート部を有し、スカート部中央部付近に頭部への装着開口部が形成され、頭部装着開口部の周縁が伸縮自在の弾性装着部とされ、頭部装着開口部を頭部髪の毛の生え際に装着して使用する毛染め用ケープ兼用キャップとする。  第2に、頭部装着用開口部の周縁が髪の毛の生え際に沿うよう二つ折りの状態で上方へカーブした形状とする。  第3に、スカート部の前面顔側を額幅の庇部を残して切欠して空部とする。【選択図】  図１
2006255266.tif 000002
【特許請求の範囲】
【請求項１】
小さく折り畳み可能な薄手の合成樹脂シートで形成され、髪の毛及び衣服を覆う長さのスカート部を有し、スカート部中央部付近に頭部への装着開口部が形成され、頭部装着開口部の周縁が伸縮自在の弾性装着部とされ、頭部装着開口部を頭部髪の毛の生え際に装着して使用する毛染め用ケープ兼用キャップにおいて、
頭部装着用開口部の周縁が髪の毛の生え際に沿うよう二つ折りの状態で上方へカーブした形状とすると共に、スカート部の前面顔側を額幅の庇部を残して切欠して空部としたことを特徴とする毛染め用ケープ兼用キャップ。
【発明の詳細な説明】
【技術分野】
【０００１】
本発明は、毛染めの際に美容用品として使用されるケープ兼用キャップの改良に関するものである。
【背景技術】
【０００２】
従来、毛染めの際に、毛染め液が首や衣服に付着しないように毛染め用ケープを肩にかけて肩と背中を覆って毛染め液が衣服に付着することを防止するものや、首に巻き付けて首及び衣服に付着することを防止するものが存在した。更に、毛染めの際に耳に毛染め液が入らないようにするイヤーキャップや、毛染め後には、別に用意したヘアーキャップを被る必要もあり、面倒であった。そこで特許文献１及び２に示されるようなケープとキャップを一体としたものが提案された。
【０００３】
しかし、特許文献１に示されるケープでは、顔や耳への毛染め液の付着を防止できず、これを髪の毛の生え際まで持ち上げて使用するとしても、顔の前にケープが存在して不快感を感じることがある上、キャップとして利用する場合にも締め付けゴムが違和感を感じさせることのあるものであった。
【０００４】
特許文献２記載のケープもまた、特許文献１のケープと同様、首に巻き付けて使用することを前提とするものであり、そのような利用方法では顔や耳への毛染め液の付着を防止できず、これを無理に髪の毛の生え際まで持ち上げて使用したとしても、顔の前にはケープが存在しないため顔への毛染め液の付着を防止する効果を発揮できるものではなかった。
【０００５】
【特許文献１】公開特許２００３−０９３１３６号公報
【特許文献２】公開特許２００２−３２０５１６号公報
【発明の開示】
【発明が解決しようとする課題】
【０００６】
本発明は、衣服や首は勿論のこと、顔や耳への毛染め液の付着を防止できると共に、毛染めの際に顔の前が開放されているため不快感を感じることのない毛染め用ケープ兼用キャップを提供しようとするものである。
【課題を解決するための手段】
【０００７】
本発明は、上記課題を解決するため、小さく折り畳み可能な薄手の合成樹脂シートで形成され、髪の毛及び衣服を覆う長さのスカート部を有し、スカート部中央部付近に頭部への装着開口部が形成され、頭部装着開口部の周縁が伸縮自在の弾性装着部とされ、頭部装着開口部を頭部髪の毛の生え際に装着して使用する毛染め用ケープ兼用キャップに次の手段を採用した。
【０００８】
第１に、頭部装着用開口部の周縁が髪の毛の生え際に沿うよう二つ折り状態で上方へカーブした形状とする。
第２に、同時にスカート部の前面顔側を額幅の庇部を残して切欠して空部とする。
【発明の効果】
【０００９】
本発明はスカート部の前面顔側を額幅の庇部を残して切欠して空部としているため、毛染めの際に顔の前が開放されていて不快感を感じることがない。その上、前面の空部上方には庇部があるため顔の前が開放されているにもかかわらず、毛染め液が顔に付着することを防止できる。
【００１０】
更に、本発明は、毛染め用として提供されたものであるが、パーマ用としても利用可能である。更に、薄手の合成樹脂シートで形成されたものであるので、小さく折り畳むことができ、毛染め液やパーマ液のパッケージに添付して市場に提供することができる。
【発明を実施するための最良の形態】
【００１１】
以下、図面に従って、実施例と共に本発明を実施するための最良の形態について説明する。図１は、本発明に係る毛染め用ケープ兼用キャップを広げた状態の正面図であり、毛染め用ケープ兼用キャップ１は、全体を、小さく折り畳むことが可能な薄手の合成樹脂シートで形成されている。
【００１２】
毛染め用ケープ兼用キャップ１は、髪の毛及び衣服を覆う長さのスカート部２と、スカート部２中央部付近に開けられた頭部への装着開口部３とよりなる。頭部装着開口部３の周縁は、伸縮自在の弾性装着部４とされている。弾性装着部４は、伸縮自在の素材であれば良いが、実施例では細いゴム紐を用いている。従って、弾性装着部４よりなる頭部装着開口部３付近はギャザー状に形成される。毛染め用ケープ兼用キャップ１は、この頭部装着開口部３を頭部髪の毛の生え際に装着して使用する。
【００１３】
図２は、毛染め用ケープ兼用キャップを２つ折りに畳んだ状態の右側面図であり、図２に示されるように頭部装着用開口部３の周縁は、髪の毛の生え際に沿うよう二つ折りの状態で上方へカーブした形状としている。この形状と共に、スカート部２の前面顔側には額幅の庇部５を残して切欠して空部６としている。スカート部２は、後側（空部６の反対側）が長く、空部６側を若干短めに形成している。庇部５は、ケープとしての使用時に、帽子の鍔のように前方に突出して保持可能とされている。
【００１４】
以下、本発明に係る毛染め用ケープ兼用キャップ１の使用方法について説明する。毛染めの開始前に、先ず図１に示されるようにスカート部２及び頭部装着開口部３を広げる。続いて図３のケープとしての使用状態説明図に示すようにスカート部２の空部６を顔側に位置させ、髪の毛の生え際に弾性装着部４が位置するように被る。続いて、庇部５を上方へ向けて曲折して毛染めの準備は完了する。
【００１５】
毛染め作業が終了した後には、図４のキャップとしての使用状態説明図に示されるように、スカート部２を髪の毛を覆うように反転させて持ち上げ、頭部上方で止め、キャップとして利用するのである。毛染め後の髪の毛をケープ内に包み込むことで、ヘアーキャップを被った状態を生じさせることができ、毛染め液が馴染むまで保持することができるものとなった
【図面の簡単な説明】
【００１６】
【図１】毛染め用ケープ兼用キャップを広げた状態の正面図
【図２】毛染め用ケープ兼用キャップを２つ折りに畳んだ状態の右側面図
【図３】本発明のケープとしての使用状態説明図
【図４】本発明のキャップとしての使用状態説明図
【符号の説明】
【００１７】
１．．．．．．毛染め用ケープ兼用キャップ
２．．．．．．スカート部
３．．．．．．頭部装着開口部
４．．．．．．弾性装着部
５．．．．．．庇部
６．．．．．．空部
【図１】
2006255266.tif 000003
【図２】
2006255266.tif 000004
【図３】
2006255266.tif 000005
【図４】
2006255266.tif 000006